(57)【特許請求の範囲】
【請求項１】
馬体に適合する磁気プローブ装置と、該磁気プローブ装置に磁気プローブ給電ケーブルを介して高周波電力を供給する高周波発振器とで構成され、当該磁気プローブ装置から馬体へと施療用磁力線を放出するように形成した高周波磁気施療装置を具備し、
該磁気プローブ給電ケーブルには、危険な引張力で機械的電気的に離脱するコネクタを装備させて成る馬用電気的施療器において、
さらに複数のレーザダイオードをアレイ状に配列してそれらのレーザダイオードによりアレイ状ラインレーザ光を射出するように構成したアレイ状ラインレーザ光発生装置を具備し、
それら高周波磁気施療装置とアレイ状ラインレーザ光発生装置を一体化させて、ハイブリッド高周波磁気・レーザ施療装置を形成するとともに、
その高周波磁気施療装置とアレイ状ラインレーザ光発生装置のいずれか一方乃至双方を任意に選択稼動させる構成とし、異なる箇所をそれぞれ単独に、あるいは同時併行的に施療できる構造としたことを特徴とする馬用電気的施療器。
【請求項２】
前記磁気プローブ装置には、前記高周波電力により施療用磁力線を生ずる磁気発生部を設けるとともに、該磁気発生部に板状の馬体固定部を付設して、該馬体固定部にて粘着テープである取付け手段により馬体へと安定に装着させ適合させるよう構成して成る請求項１に記載の馬用電気的施療器。
【請求項３】
前記磁気プローブ装置を複数装備させることでこれらの磁気プローブ装置により一乃至複数の馬体施療箇所に対し一方面乃至多方面からの施療を可能に構成して成る請求項２記載の馬用電気的施療器。
【請求項４】
前記アレイ状ラインレーザ光発生装置に短パルスで高ピークなアレイ状ラインレーザ光を発生させることにより該ラインレーザ光を馬体の深部まで浸透せしめる構成として成る請求項１に記載の馬用電気的施療器。
【発明の詳細な説明】
【技術分野】
【０００１】
本発明は、馬に高周波磁気・レーザ施療を行う装置であって、馬の故障の治癒及び疲労回復を促すことに適した安全な馬用電気的施療器に関するものである。
【背景技術】
【０００２】
馬の施療、特に馬脚の故障や局部の疲労回復を専門に行う高周波磁気治療製品そのものが存在しないといえる現状においては、馬体に適合して安定的に装着できる磁気プローブ装置を備えたものは見当たらない。
【０００３】
更に、馬は音や振動に敏感であり、場合によっては暴れたり、暴れなくとも馬脚をプローブ線にひっかけて磁気プローブ装置や高周波磁気施療装置を破壊したり、馬体を創傷したりする虞があり、また、傍で監視している人間に危険性が及ぶことも考えられる。
【０００４】
馬用レーザ治療装置については、高価な製品として見られるものの、レーザ光の発振形式がＣＷ（連続波）で、小さな照射口を持つものしか見当たらず、しかも、発生したレーザ光を拡散させて使用しているので光強度が弱く、レーザ光のもつ直進性の維持も小電力による光強度の増強もしていないので深部治療には効果が薄く、広い馬体や患部を施療するのに手間と時間を要する。また、単純なＣＷ（連続波）では表面付近は施療できるものの、深部患部には至り難くいために時間をかけて深部患部を施療しようとすると馬体表皮が火傷する可能性が高い。なお、特許文献１には、背負子形式にした獣医用ポータブルレーザ治療装置が見られる。しかし、この場合、外観上の形態を示すにとどまり、内部の構成についいては一切開示されておらず、上述のような企図も何ら具有していない。
【特許文献１】特開２００１−３４０３６４号公報
【０００５】
勿論、高周波磁気治療とレーザ光治療を同時に行うことで相乗効果をだせる機器は見当たらない。
【発明の開示】
【発明が解決しようとする課題】
【０００６】
本発明は、上記不具合を解決しようとするものであり、馬体に適合して装着でき、かつ馬が暴れた場合にも安全な磁気プローブ装置による高周波磁気施療と、複数のレーザダイオードをアレイ状に配しすることでレーザ光射出口より各レーザダイオードからの短パルスで高ピークなラインレーザ光を一度に広い範囲に照射できるようにしたアレイ状ラインレーザ発生装置によるレーザ光治療とを、状況に対応させていずれか一方を単独に稼動させるか、或いは双方を併せて稼動させることにより馬体に広く深部まで、さらには、磁気プローブ装置とアレイ状ラインレーザ光発生装置を一体にハイブリッド化して稼動させ、馬体の局所深部に同時に施療できることを容易に実現できるようにすることにある。
【課題を解決するための手段】
【０００７】
かかる観点から、本発明の請求項１の馬用電気的施療器は、馬体に適合する磁気プローブ装置と、該磁気プローブ装置に磁気プローブ給電ケーブルを介して高周波電力を供給する高周波発振器とで構成され、当該磁気プローブ装置から馬体へと施療用磁力線を放出するように形成した高周波磁気施療装置を具備し、
該磁気プローブ給電ケーブルには、危険な引張力で機械的電気的に離脱するコネクタを装備させて成る馬用電気的施療器において、
さらに複数のレーザダイオードをアレイ状に配列してそれらのレーザダイオードによりアレイ状ラインレーザ光を射出するように構成したアレイ状ラインレーザ光発生装置を具備し、
それら高周波磁気施療装置とアレイ状ラインレーザ光発生装置を一体化させて、ハイブリッド高周波磁気・レーザ施療装置を形成するとともに、
その高周波磁気施療装置とアレイ状ラインレーザ光発生装置のいずれか一方乃至双方を任意に選択稼動させる構成とし、異なる箇所をそれぞれ単独に、あるいは同時併行的に施療できる構造とした。
【０００９】
請求項２の馬用電気的施療器は、請求項１に記載の馬用電気的施療器にあって、前記磁気プローブ装置には、前記高周波電力により施療用磁力線を生ずる磁気発生部を設けるとともに、該磁気発生部に板状の馬体固定部を付設して、該馬体固定部にて粘着テープである取付け手段により馬体へと安定に装着させ適合させるよう構成して成る。
【００１０】
請求項３の馬用電気的施療器は、請求項２に記載の馬用電気的施療器にあって、前記磁気プローブ装置を複数装備させることでこれらの磁気プローブ装置により一乃至複数の馬体施療箇所に対し一方面乃至多方面からの施療を可能に構成して成る。
【００１２】
請求項４の馬用電気的施療器は、請求項１に記載の馬用電気的施療器にあって、前記アレイ状ラインレーザ光発生装置に短パルスで高ピークなアレイ状ラインレーザ光を発生させることにより該ラインレーザ光を馬体の深部まで浸透せしめる構成として成る。
【発明の効果】
【００１５】
本発明によれば、上述の課題を解決できて、磁気によって血液中のヘモグロビンの鉄イオンを刺激して馬の患部や疲労部を暖め、血行を促進させることができ、したがって、深い位置にある患部や疲労部であっても速やかな回復を促すことができ、疼痛緩解、患部治癒の促進、消炎効果等を安全かつ効率的に実現できる。
【発明を実施するための最良の形態】
【００１６】
本発明を実施する最良の形態は、高周波磁気施療装置においては、高周波発振器からの周波数０．４乃至１．０ＭＨＺ、出力１５乃至３０Ｗ程度の高周波出力で磁気プローブ装置より磁界を発生させて、馬体の深部患部にあてる。また、アレイ状ラインレーザ光発生装置においては、パルス幅２μ以下でピークパワー５０W内外、ピークエネルギー５０μＪ内外、平均パワー１Ｗ内外の短パルスにより２０個程度のレーザダイオードをアレイ状に配列して成るレーザダイオード列を一挙に点灯させることで、該レーザダイオード列から座標軸Ｘ軸方向に長さ１０ｍｍ内外で短パルスで高ピークのアレイ状ラインレーザ光を射出させ、Ｙ軸方向には装置が小型軽量であることから片手の掌で握って往復走査させて、馬体の患部に照射させる。
【実施例】
【００１７】
図１乃至図３は、本発明の馬用電気的施療器における高周波磁気施療装置２１についての実施例を示すものであり、以下、これを詳細に説明する。
【００１８】
図１は、馬用電気的施療器を構成する高周波磁気施療装置２１の全体図であり、図示の高周波磁気施療装置２１は、２個の磁気プローブ装置１をそれぞれ磁気プローブ給電ケーブル２及びコネクタ４を介して高周波発信器３の出力端へと接続し、該高周波発信器３からの高周波電力の供給により両磁気プローブ装置１から磁力線を放出させる。また、コネクタ４には、ジャック・プラグ型を用い、高周波発信器３にジャックを、磁気プローブ給電ケーブル２の基端にプラグを配備させて、抜き差し自在に嵌合させるとともに、磁気プローブ給電ケーブル２に所定値以上の無理な引張力が加わった際に機械的電気的に離脱させるようにして、馬が暴れたり、暴れなくとも馬脚をプローブ線にひっかけたりした場合などに備える。
【００１９】
図２、図３は、図１の高周波磁気施療装置２１における磁気プローブ装置１について図示したもので、磁性体２９を磁気発生部５の中心に置くことで磁性体下部に磁束を集約させる構造とし、磁気プローブ給電ケーブル２の先端に磁気発生部５を取り付けて電気的に接続し、該磁気発生部５の馬体との接触面側に合成樹脂で出来た平板の馬体固定部６を接合して成る。そして、その磁気プローブ装置１を馬体の要所にあてて、馬体固定部６の上から布粘着テープなどの取付け手段でとめることにより馬体に安定して装着させ適合させる。なお、馬の故障は馬脚部に多くみられ、馬脚には磁気プローブ装置１を縦にして柱に縛り付けるが如く馬体固定部６の上から布粘着テープなどを巻いて固定させて磁気プローブ装置１を使用する。
【００２０】
図４は、馬用電気的施療器を構成するアレイ状ラインレーザ光発生装置２０の全体図であり、図示のアレイ状ラインレーザ光発生装置２０は、アレイ状ラインレーザ光を射出するアレイ状に配列したレーザダイオード列８と、そのレーザ光を並行光に光学的に制御するための並行光調整用レンズ７と、そのレーザダイオード列８の直近に配したレーザ電源部９と、該レーザ電源部９を制御する中央制御部１４と、該中央制御部１４をＯＮ・ＯＦＦするスタートストップスイッチ１３を備えて成る。なお、スタートストップスイッチ１３は、レーザ光が発生後にタイマーでＯＦＦするようインターロック機構を用いるとよい。
【００２１】
レーザダイオード列８は、２０個程度のレーザダイオードをアレイ状に配列してＸ軸方向に長さ１０ｍｍ内外のアレイ状ラインレーザ光を得るようにして成る。また、中央制御部１４は、レーザ電源部９に対するパルス幅制御部１０及び周波数制御部１１と、スタートストップスイッチ１３によりＯＮ・ＯＦＦされてレーザ電源部９、パルス幅制御部１０及び周波数制御部１１をＯＮ・ＯＦＦ制御する制御／スイッチ部１２とを配し、この中央制御部１４とレーザ電源部９とは給電ケーブル１５とリード線１７とで適宜に結線して成る。
【００２２】
そして、スタートストップスイッチ１３のＯＮに伴い、中央制御部１４による制御の下にレーザ電源部９においてパルス幅２μ以下でピークパワー５０W内外、ピークエネルギー５０μＪ内外、平均パワー１Ｗ内外の短パルスを発生させ、該パルスによりレーザダイオード列８を一挙に点灯させて、座標軸Ｘ軸方向に長さ１０ｍｍ内外で短パルスで高ピークのアレイ状ラインレーザ光を放出させ、該アレイ状ラインレーザ光を並行光調整用レンズ７により並行光に調整して外部へと射出させる。該アレイ状ラインレーザ光は座標軸Ｙ軸方向に走査させるが、装置を小型で３００ｇ程度の軽量のものにできるので、ケーシングを片手の掌で握って往復走査させて、馬体の深部患部に照射させる。
【００２３】
図５は、高周波磁気・レーザ施療装置２２の全体図を示す。この高周波磁気・レーザ施療装置２２は、上記アレイ状ラインレーザ光発生装置２０と、上記高周波磁気施療装置２１と、これらの装置に所要の電力を供給する電源装置１８と、該電源装置１８をＯＮ・ＯＦＦさせる電源スイッチ１９とを複合一体化させて一体的機器に形成し、そのアレイ状ラインレーザ光発生装置２０と高周波磁気施療装置２１には、電源スイッチ１９のＯＮに伴い電源装置１８からいずれか一方乃至双方に選択的に電力を供給するようにして、それぞれ単独で或いは併用で稼動させる。
【００２４】
図６、図７は、ハイブリッドヘッド装置２３について図示したもので、上記高周波磁気施療装置２１の磁気プローブ装置１と上記アレイ状ラインレーザ光発生装置２０とを一体にしてハイブリッド化して成る。
【００２５】
ハイブリッドヘッド装置２３は、図６に示すように、縦長（座標軸Ｙ軸方向）のヘッド前面の中央部にアレイ状ラインレーザ光発生装置２０からのアレイ状ラインレーザ光（座標軸Ｘ軸方向）を射出する横長（座標軸Ｘ軸方向）のラインレーザ光射出口２４を配し、また、図６、図７に示すように、そのヘッド前面の上下両端部に、高周波磁気施療装置２１の二つの磁気発生部５を配して成り、さらに、馬体に接触したことを感知するインターロックセンサ装置２８から成り、インターロックセンサ装置２８は上記アレイ状ラインレーザ光発生装置２０の制御／スイッチ部１２（図４）とリード線で結ばれ、インターロックセンサ装置２８が馬体に接触して始めてラインレーザ光が射出される構造にすると良い。このハイブリッドヘッド装置２３は、片手の掌で握って馬体の要所にあて、Ｙ軸方向に往復動させて、ラインレーザ光射出口２４からのアレイ状ラインレーザ光と両磁気発生部５からの磁力線とのいずれか一方乃至双方を馬体の深部患部に選択的に照射させるようにしている。
【００２６】
図８はハイブリッドヘッド装置２３を稼動させた場合の磁力線の分布を表したものである。ハイブリッドヘッド装置２３を稼動させる場合、左右の磁気発生部５の極性を逆にすることにより左右の磁気発生部５の間にも磁力線の流れを生じさせ、レーザ光が当たる患部付近にも強く作用させることができることにより、磁力線とレーザ光の相乗効果が期待できる。
【００２７】
図９は本発明の参考例として馬用電気的施療器たる小型軽量にしたハイブリッド高周波磁気・レーザ施療装置３２の全体図を示す。この広義のハイブリッド高周波磁気・レーザ施療装置３２は、小型にした磁気プローブ装置１とアレイ状ラインレーザ光発生装置２０のレーザヘッド部３０を一体化にセットさせてハイブリッドヘッド装置２３を構成させたものと、高周波発振器３と、前記アレイ状ラインレーザ光発生装置２０の中央制御部１４と、スタートストップスイッチ１３と、これらの装置に所要の電力を供給する電源装置１８と、該電源装置１８をＯＮ・ＯＦＦさせる電源スイッチ１９とを一体化させて一体的機器に形成させた狭義のハイブリッド用高周波磁気・レーザ施療装置３１から成り、電源スイッチ１９のＯＮに伴い電源装置１８からに電力を供給するようにして、スタートストップスイッチ１３でレーザ光の射出を制御させ、局所に磁気とレーザを同時に作用させることができる。
【００２８】
馬の病気、特に競争馬は脚の故障が致命的で、多くの命がむやみに損耗されているが、本施療器を使うことにより、馬の病気や脚の故障の回復を早め、現役に復帰させることが期待でき、延いては競馬会を含む大衆娯楽への貢献ができる。
【図面の簡単な説明】
【００２９】
【図１】本発明の馬用電気的施療器に係る高周波磁気施療装置の構成要領全体図である。
【図２】同高周波磁気施療装置の磁気プローブ装置を示す説明側面図である。
【図３】同説明後面図である。
【図４】本発明の馬用電気的施療器に係るアレイ状ラインレーザ光発生装置のブロック図である。
【図５】本発明の馬用電気的施療器に係る高周波磁気・レーザ施療装置の構成要領全体図である。
【図６】本発明の馬用電気的施療器に係るハイブリッドヘッド装置の説明側面図である。
【図７】同説明正面図である。
【図８】本発明の馬用電気的施療器に係るハイブリッドヘッド装置の説明側面磁力線分布図である。
【図９】本発明の馬用電気的施療器に係る小型軽量にした広義のハイブリッド高周波磁気・レーザ施療装置とハイブリッドヘッド装置の構成要領全体図である。
【符号の説明】
【００３０】
１ 磁気プローブ装置
２ 磁気プローブ給電ケーブル
３ 高周波発振器
４ コネクタ
５ 磁気発生部
６ 馬体固定部
７ 並行光調整用レンズ
８ レーザダイオード列
９ レーザ電源部
１０ パルス幅制御部
１１ 周波数制御部
１２ 制御／スイッチ部
１３ スタートストップスイッチ
１４ 中央制御部
１５、１６、２５、２６ 給電ケーブル
１７、２７ リード線
１８ 電源装置
１９ 電源スイッチ
２０ アレイ状ラインレーザ光発生装置
２１ 高周波磁気施療装置
２２ 高周波磁気・レーザ施療装置
２３ ハイブリッドヘッド装置
２４ ラインレーザ光射出口
２８ インターロックセンサ装置
２９ 磁性体
３０ レーザヘッド部
３１ 狭義のハイブリッド用高周波磁気・レーザ施療装置
３２ 広義のハイブリッド高周波磁気・レーザ施療装置
【図１】
0004716441.tif 000002
【図２】
0004716441.tif 000003
【図３】
0004716441.tif 000004
【図４】
0004716441.tif 000005
【図５】
0004716441.tif 000006
【図６】
0004716441.tif 000007
【図７】
0004716441.tif 000008
【図８】
0004716441.tif 000009
【図９】
0004716441.tif 000010